(57)【要約】【課題】音声通話機能使用時でもインターネット接続機能使用時でもアンテナの性能が劣化することがない携帯無線機を提供する。【解決手段】第１の筐体１Ａの上端部の短辺方向に第１のアンテナ４を配置し、第２の筐体１Ｂの左側端部に長辺方向に第２のアンテナ５を配置し、音声通話機能使用時にはスイッチ８を制御して第１のアンテナ４に切替え、インターネット接続機能使用時にはスイッチ８を制御して第２のアンテナ５に切替える。第１のアンテナ４を第１の筐体１Ａの上端部の短辺方向に配置することで、縦開き使用時に第１のアンテナ４が手で覆われることがなく、第１のアンテナ４の性能が劣化することがない。第２のアンテナ５を第２の筐体１Ｂの左側端部に長辺方向に配置することで、横開き使用時に第２のアンテナ５が手で覆われることがなく、第２のアンテナ５の性能が劣化することがない。【選択図】図１
2011160201.tif 000002
【特許請求の範囲】
【請求項１】
音声通話機能及びインターネット接続機能を有する携帯無線機において、
第１の筐体と、
第２の筐体と、
前記第２の筐体に配置された表示部と、
前記第１の筐体の短辺部に配置された第１のアンテナと、
前記第２の筐体の長辺部に配置された第２のアンテナと、
音声通話機能使用時であるかインターネット接続機能使用時であるかを検知する第１の検知手段と、を備え、
前記第１の検知手段の検知出力に基づいて前記第１のアンテナと前記第２のアンテナを切替える携帯無線機。
【請求項２】
請求項１に記載の携帯無線機であって、
前記第１のアンテナが前記第１の筐体の上端部に配置された携帯無線機。
【請求項３】
請求項１又は請求項２に記載の携帯無線機であって、
前記第１の筐体と前記第２の筐体の開閉状態を検知する第２の検知手段を備え、
前記第１の検知手段の検知出力と前記第２の検知手段の検知出力に基づいて前記第１のアンテナと前記第２のアンテナを切替える携帯無線機。
【請求項４】
請求項１又は請求項２に記載の携帯無線機であって、
前記第１の筐体と前記第２の筐体の角度を検知する第３の検知手段を備え、
前記第１の検知手段の検知出力と前記第３の検知手段の検知出力に基づいて前記第１のアンテナと前記第２のアンテナを切替える携帯無線機。
【請求項５】
請求項１乃至請求項４のいずれかに記載の携帯無線機であって、
前記第２のアンテナが使用周波数の波長の略１／４の長さで構成される携帯無線機。
【発明の詳細な説明】
【技術分野】
【０００１】
本発明は、携帯電話機等の携帯無線機に関し、特に音声通話機能とインターネット接続機能を有する携帯無線機に関する。
【背景技術】
【０００２】
携帯電話機等の携帯無線機には、音声通話機能とインターネット接続機能を有するものがある。この種の携帯無線機として、例えば特許文献１、２に記載されたものが知られている。特許文献１に記載された携帯無線機は、筐体の表面の長手方向上方に設けられた表示部の下端より上部に第１のアンテナを配置し、筐体の表面の長手方向下方に設けられた操作部の上端より下部に第２のアンテナを配置し、音声通話機能使用時には第２のアンテナを選択し、インターネット接続機能使用時には第１のアンテナを選択するようにしている。
【０００３】
他方、特許文献２に記載された携帯電話機は、筐体の下端部の右側に音声通話を行うための第１のアンテナを配置するとともに、筐体の下端部の左側に音声通話を行うための第２のアンテナを配置し、さらに、筐体の上端部の右側にインターネット接続を行うための第３のアンテナを配置するとともに、筐体の上端部の左側にインターネット接続を行うための第４のアンテナを配置し、音声通話の送信があった時には第１のアンテナ及び第２のアンテナのうち前回の音声通話の受信に用いたアンテナを選択して送信を行い、音声通話の受信があった時には第１のアンテナ及び第２のアンテナのうちダイバーシティ受信に有利な方の１つを選択して受信を行い、インターネットへの接続の送信発生があった時には第３のアンテナ及び第４のアンテナのうち前回のインターネット接続の受信に用いた方のアンテナを選択して送信を行い、インターネットの受信があった時には第３のアンテナ及び第４のアンテナのうちダイバーシティ受信に有利な方の１つを選択して受信するようにしている。
【先行技術文献】
【特許文献】
【０００４】
【特許文献１】特開２００３−１６３９５６号公報
【特許文献２】特開２００４−２７４６３３号公報
【発明の概要】
【発明が解決しようとする課題】
【０００５】
しかしながら、特許文献１に記載された携帯無線機及び特許文献２に記載された携帯電話機のいずれにおいても使用の形態によってはアンテナ性能が劣化してしまうという課題がある。すなわち、音声通話機能使用時には筐体の下部を持つことが多いことから、筐体長手方向の下部に配置したアンテナの性能が劣化してしまう。また、インターネット接続機能使用時等の横画面での使用（筐体を横にして使用する）時には、筐体の上部と下部を同時に持つことが多く、筐体長手方向の下部及び上部それぞれに配置したアンテナの性能が同時に劣化してしまう。
【０００６】
本発明は、係る事情に鑑みてなされたものであり、音声通話機能使用時でもインターネット接続機能使用時でもアンテナの性能が劣化することがない携帯無線機を提供することを目的とする。
【課題を解決するための手段】
【０００７】
本発明の携帯無線機は、音声通話機能及びインターネット接続機能を有する携帯無線機において、第１の筐体と、第２の筐体と、前記第２の筐体に配置された表示部と、前記第１の筐体の短辺部に配置された第１のアンテナと、前記第２の筐体の長辺部に配置された第２のアンテナと、音声通話機能使用時であるかインターネット接続機能使用時であるかを検知する第１の検知手段と、を備え、前記第１の検知手段の検知出力に基づいて前記第１のアンテナと前記第２のアンテナを切替える。
【０００８】
上記構成によれば、第１の筐体の短辺部に第１のアンテナを配置し、第２の筐体の長辺部に第２のアンテナを配置して、音声通話機能使用時とインターネット接続機能使用時とで第１のアンテナと第２のアンテナの切替えを行う。例えば、音声通話機能使用時に第１のアンテナに切替え、インターネット接続機能使用時に第２のアンテナに切替える。音声通話機能使用時では、一般的に第１の筐体と第２の筐体を縦方向に開くことから、使用者は第１の筐体の下端部を持つことになる。このとき第１のアンテナを第１の筐体の上端部側の短辺部に配置しておくことで第１のアンテナが手で覆われることがなく、第１のアンテナの性能が劣化することがない。また、インターネット接続機能使用時では、一般的に第１の筐体と第２の筐体を横方向に開くことから、使用者は第１の筐体の上端部と下端部（すなわち、横に向けたときの両端部）を持つことになる。このとき第２のアンテナを第２の筐体の長辺部に配置しておくことで第２のアンテナが手で覆われることがなく、第２のアンテナの性能が劣化することがない。このように、音声通話機能使用時でもインターネット接続機能使用時でもアンテナの性能が劣化することがない。
【０００９】
上記構成において、前記第１のアンテナが前記第１の筐体の上端部に配置された。
【００１０】
上記構成によれば、第１のアンテナを第１の筐体の上端部に配置することで音声通話機能使用時に第１の筐体の下端部を手で持っても第１のアンテナを手で覆うことがなく、第１のアンテナの性能が劣化することがない。
【００１１】
上記構成において、前記第１の筐体と前記第２の筐体の開閉状態を検知する第２の検知手段を備え、前記第１の検知手段の検知出力と前記第２の検知手段の検知出力に基づいて前記第１のアンテナと前記第２のアンテナを切替える。
【００１２】
上記構成によれば、音声通話機能使用時であるかインターネット接続機能使用時であるかを検知する第１の検知手段の検知出力と第１の筐体と第２の筐体の開閉状態を検知する第２の検知手段の検知出力に基づいて第１のアンテナと第２のアンテナの切替えを行うので、音声通話機能使用時でもインターネット接続機能使用時でも常に安定したアンテナ性能が得られる。特に、第１の検知手段と第２の検知手段を組み合わせることで、確実に第１のアンテナと第２のアンテナを切替えることができる。すなわち、例えば、縦開き状態にあるときに、インターネット接続機能使用を指定しても第２のアンテナに切り替わることがないように制御することができる。逆に、横開き状態にあるときに、音声通話機能使用を指定しても第１のアンテナに切り替わることがないように制御することができる。
【００１３】
上記構成において、前記第１の筐体と前記第２の筐体の角度を検知する第３の検知手段を備え、前記第１の検知手段の検知出力と前記第３の検知手段の検知出力に基づいて前記第１のアンテナと前記第２のアンテナを切替える。
【００１４】
上記構成によれば、音声通話機能使用時であるかインターネット接続機能使用時であるかを検知する第１の検知手段の検知出力と第１の筐体と第２の筐体の角度を検知する第３の検知手段の検知出力に基づいて第１のアンテナと第２のアンテナの切替えを行うので、音声通話機能使用時でもインターネット接続機能使用時でも常に安定したアンテナ性能が得られる。特に、第１の検知手段と第３の検知手段を組み合わせることで、確実に第１のアンテナと第２のアンテナを切替えることができる。すなわち、例えば、縦開き状態にあるときに、インターネット接続機能使用を指定しても第２のアンテナに切り替わることがないように制御することができる。逆に、横開き状態にあるときに、音声通話機能使用を指定しても第１のアンテナに切り替わることがないように制御することができる。
【００１５】
上記構成において、前記第２のアンテナが使用周波数の波長の略１／４の長さで構成される。
【００１６】
上記構成によれば、第２のアンテナをλ／４系とすることで、第２の筐体内の基板のグランドパターンに流れる電流が支配的となり、送信電波は垂直偏波になりやすい。携帯電話の場合、送信する電波は主に垂直偏波となるので、第２のアンテナをλ／４系とすることで送信電波を受け易くなる。
【発明の効果】
【００１７】
本発明は、音声通話機能使用時でもインターネット接続機能使用時でも常に安定したアンテナ性能が得られる。
【図面の簡単な説明】
【００１８】
【図１】本発明の実施の形態１に係る携帯無線機の使用形態を示す図
【図２】図１の携帯無線機の使用形態と概略構成を示すブロック図
【図３】図１の携帯無線機の応用例の携帯無線機の使用形態を示す図
【図４】本発明の実施の形態２に係る携帯無線機の概略構成を示すブロック図
【図５】図４の携帯無線機の使用形態を示す図
【図６】本発明の実施の形態３に係る携帯無線機の概略構成を示すブロック図
【発明を実施するための形態】
【００１９】
以下、本発明を実施するための好適な実施の形態について、図面を参照して詳細に説明する。
【００２０】
（実施の形態１）
図１は、本発明の実施の形態１に係る携帯無線機の使用形態を示す図であり、（ａ）は音声通話機能使用時の使用形態、（ｂ）はインターネット接続機能使用時の使用形態である。また、図２は、本実施の形態の携帯無線機の使用形態と概略構成を示すブロック図である。本実施の形態に係る携帯無線機１は、音声通話機能及びインターネット接続機能を有し、またダブルオープン構造と呼ばれる縦方向でも横方向でも開けることができる構造を有する。音声通話機能使用時には主に縦方向に開き、インターネット接続機能使用時には主に横方向に開く。
【００２１】
図１に示すように、本実施の形態に係る携帯無線機１は、第１の筐体１Ａと、第２の筐体１Ｂと、第２の筐体１Ｂに配置された表示部２と、第１の筐体１Ａと第２の筐体１Ｂを縦方向に開くためのヒンジ部３と、第１の筐体１Ａの短辺部に配置された第１のアンテナ４と、第２の筐体１Ｂの長辺部に配置された第２のアンテナ５とを備え、また図２に示すように、音声通話機能使用時であるかインターネット接続機能使用時であるかを検知する検知部（第１の検知手段）６と、検知部６の検知出力に基づいて第１のアンテナ４と第２のアンテナ５を切替える制御を行う制御部７と、第１のアンテナ４と第２のアンテナ５の切替えを行うスイッチ８と、音声通話やインターネット接続時のデータの送受信を行う無線回路９とを備える。
【００２２】
第１のアンテナ４は、第１の筐体１Ａの上端部に短辺方向に向けて配置されている。第１のアンテナ４は音声通話機能使用時に使用される。音声通話機能使用時には、使用者の筐体を持つ手が第１の筐体１Ａの下端部（図１の（ａ）の符号Ａ１で示す領域）となり、第１のアンテナ４を手で覆うことがない。したがって、音声通話機能使用時に第１のアンテナ４の性能が劣化することがない。
【００２３】
第２のアンテナ５は、第２の筐体１Ｂの左側端部に長辺方向に向けて配置されている。この場合、第１の筐体１Ａと第２の筐体１Ｂを横方向に開いたときに第２のアンテナ５は、図１の（ｂ）に示すように表示部２の上方に来る。第２のアンテナ５はインターネット接続機能使用時に使用される。インターネット接続機能使用時には使用者の筐体を持つ手が第１の筐体１Ａの両短辺部（図１の（ｂ）の符号Ａ２、Ａ３で示す領域）となり、第２のアンテナ５を手で覆うことがない。したがって、インターネット接続機能使用時に第２のアンテナ５の性能が劣化することがない。
【００２４】
検知部６は、キー入力部１５のキー信号から音声通話機能使用時であるかインターネット接続機能使用時であるかを検知する。すなわち、音声通話機能を使用するための通話キー１５ａが操作されたときに出力されるキー信号から音声通話機能使用時を検知し、インターネット接続機能を使用するためのモードキー１５ｂが操作されたときに出力されるキー信号からインターネット接続機能使用時を検知する。音声通話機能使用時又はインターネット接続機能使用時を検知すると検知信号を出力する。制御部７は、検知部６から出力された検知信号に基づいて第１のアンテナ４と第２のアンテナ５を切替える。すなわち、制御部７は、検知部６で音声通話機能使用時が検知された場合にはスイッチ８を制御して第１のアンテナ４に切替え、インターネット接続機能使用時が検知された場合にはスイッチ８を制御して第２のアンテナ５に切替える。
【００２５】
このように本実施の形態の携帯無線機１によれば、第１の筐体１Ａの上端部の短辺方向に第１のアンテナ４を配置し、第２の筐体１Ｂの左側端部に長辺方向に第２のアンテナ５を配置し、音声通話機能使用時にはスイッチ８を制御して第１のアンテナ４に切替え、インターネット接続機能使用時にはスイッチ８を制御して第２のアンテナ５に切替える。音声通話機能使用時では第１の筐体１Ａと第２の筐体１Ｂを縦方向に開くことから使用者は第１の筐体１Ａの下端部を持つことになるが、第１のアンテナ４を第１の筐体１Ａの上端部の短辺方向に配置しているので、第１のアンテナ４は手で覆われることがない。これにより、音声通話機能使用時に第１のアンテナ４の性能が劣化することがない。
【００２６】
また、インターネット接続機能使用時では第１の筐体１Ａと第２の筐体１Ｂを横方向に開くことから使用者は第１の筐体１Ａの上端部と下端部（すなわち、横に向けたときの両端部）を持つことになるが、第２のアンテナ５を第２の筐体１Ｂの長辺部に配置しているので、第２のアンテナ５は手で覆われることがない。これにより、インターネット接続機能使用時に第２のアンテナ５の性能が劣化することがない。このように音声通話機能使用時でもインターネット接続機能使用時でも常に安定したアンテナ性能が得られる。
【００２７】
なお、本実施の形態の携帯無線機１は、ダブルオープン構造と呼ばれる開閉構造を持つものであったが、その他、横スライド構造と呼ばれる開閉構造を持つものでも同様にしてアンテナを配置することができる。図３は横スライド構造を持つ携帯無線機２０の外観を示す図であり、（ａ）は音声通話機能使用時の使用形態を示し、（ｂ）はインターネット接続機能使用時の使用形態を示す。第１のアンテナ４は第１の筐体２０Ａの上端部の短辺方向に配置され、第２のアンテナ５は第２の筐体２０Ｂの右側端部に長辺方向に配置される。
【００２８】
音声通話機能使用時では、使用者の筐体を持つ手が第１の筐体２０Ａ及び第２の筐体２０Ｂそれぞれの下端部（（図３の（ａ）の符号Ａ４で示す領域））となるが、第１のアンテナ４は第１の筐体２０Ａの上端部の短辺方向に配置されているので、第１のアンテナ４を手で覆うことがない。したがって、音声通話機能使用時に第１のアンテナ４の性能が劣化することがない。
【００２９】
一方、インターネット接続機能使用時では、使用者の筐体を持つ手が第１の筐体２０Ａの両短辺部（図３の（ｂ）の符号Ａ５、Ａ６で示す領域）となるが、第２のアンテナ５は第２の筐体２０Ｂの右側端部に長辺方向（図３の（ｂ）に示すように、筐体を横に向けることで上端部の長辺方向となる）に配置されているので、第２のアンテナ５を手で覆うことがない。したがって、インターネット接続機能使用時に第２のアンテナ５の性能が劣化することがない。なお、図３の（ｂ）において、矢印Ｂは第２の筐体２０Ｂのスライド方向を示している。因みに、図３の（ｂ）は、図３の（ａ）の状態を反時計回りに９０度回転させた後に第２の筐体２０Ｂをスライドさせた状態を示している。
【００３０】
また、１つの筐体からなるストレート構造の携帯無線機にも同様にしてアンテナを配置することができる。
【００３１】
（実施の形態２）
図４は、本発明の実施の形態２に係る携帯無線機の概略構成を示すブロック図である。なお、図４において前述した図１と共通する部分には同一の符号を付けてその説明を省略する。
【００３２】
本実施の形態の携帯無線機４０は、前述した実施の形態１の携帯無線機１と同様に、音声通話機能及びインターネット接続機能を有し、またダブルオープン構造と呼ばれる縦方向でも横方向でも開けることができる構造を有する。音声通話機能使用時には主に縦方向に開き、インターネット接続機能使用時には主に横方向に開く。
【００３３】
前述した実施の形態１の携帯無線機１は、キー入力部１５のキー信号から音声通話機能使用時であるかインターネット接続機能使用時であるかを検知するものであったが、本実施の形態の携帯無線機４０は、さらに、第１の筐体１Ａと第２の筐体１Ｂの開閉状態を検知できるようにして、第１の筐体１Ａと第２の筐体１Ｂの開閉状態（すなわち、縦開きと横開き）に応じて、キー入力部１５のキー信号から音声通話機能使用時とインターネット接続機能使用時で使用するアンテナを切替えることができるようにしたものである。本実施の形態の携帯無線機４０は、磁気抵抗効果素子を用いたＭＲセンサ２１、２２（第２の検知手段）を用いて第１の筐体１Ａと第２の筐体１Ｂの開閉状態を検知する。
【００３４】
図５は、本実施の形態の携帯無線機の使用形態を示す図であり、（ａ）は縦開き時の使用形態、（ｂ）は横開き時の使用形態である。縦開き時の使用形態は、第１の筐体１Ａの上端部右寄りの位置に配置されたＭＲセンサ２１と、このＭＲセンサ２１と対になり、第２の筐体１Ｂの下端部右寄りの位置に配置された磁石２３とによって検知される。横開き時の使用形態は、第２の筐体１Ｂの下端部左寄りの位置に配置されたＭＲセンサ２２と、このＭＲセンサ２２と対になり、第１の筐体１Ａの上端部左寄りの位置に配置された磁石２４とによって検知される。なお、図中符号３０と３１で示す双方向矢印は回動方向を示している。すなわち、（ａ）においては縦開き状態での回動方向であり、（ｂ）は横開き状態での回動方向である。
【００３５】
縦開き時では、ＭＲセンサ２１と磁石２３が離れて、ＭＲセンサ２１が磁石２３の磁力を感知しなくなる（図５の（ａ）の状態）。ＭＲセンサ２１が磁石２３の磁力を感知しなくなると検知信号を出力する。すなわち、第１の筐体１Ａと第２の筐体１Ｂとが縦開きとなると、ＭＲセンサ２１が検知信号を出力する。横開き時では、ＭＲセンサ２２と磁石２４が離れて、ＭＲセンサ２２が磁石２４の磁力を感知しなくなる（図５の（ｂ）の状態）。ＭＲセンサ２２が磁石２４の磁力を感知しなくなると検知信号を出力する。すなわち、第１の筐体１Ａと第２の筐体１Ｂとが横開きとなると、ＭＲセンサ２２が検知信号を出力する。
【００３６】
本実施の形態の携帯無線機４０の制御部７Ａは、ＭＲセンサ２１から検知信号が出力されると縦開き状態と認識し、この状態で音声通話機能使用を指定するキー操作が行われた場合はキー操作を検知する検知部６とＭＲセンサ２１からの検知信号からスイッチ８を制御して第１のアンテナ４に切替える。また、縦開き状態にあるときに、インターネット接続機能使用を指定するキー操作を行った場合もキー操作を検知する検知部６とＭＲセンサ２１からの検知信号からスイッチ８を制御して第２のアンテナ５に切替えず、第１のアンテナ４に切替えることが可能となる。また、制御部７Ａは、ＭＲセンサ２２から検知信号が出力されると横開きの状態と認識し、この状態でインターネット接続機能使用を指定するキー操作が行われた場合はキー操作を検知する検知部６とＭＲセンサ２２からの検知信号からスイッチ８を制御して第２のアンテナ５に切替える。また、横開き状態にあるときに、音声通話機能使用を指定するキー操作を行った場合もキー操作を検知する検知部６とＭＲセンサ２２からの検知信号からスイッチ８を制御して第１のアンテナ４に切替えず、第２のアンテナ５に切替えることが可能となる。すなわち、音声通話機能使用時とインターネット接続機能使用時で単純にアンテナを切替えるのではなく、第１の筐体１Ａと第２の筐体１Ｂの開閉状態も考慮したアンテナ切替えを実現することができる。
【００３７】
音声通話機能使用時では主に第１の筐体１Ａと第２の筐体１Ｂが縦開き状態であるので、使用者は第１の筐体１Ａの下端部を持つことになるが、第１のアンテナ４は第１の筐体１Ａの上端部の短辺方向に配置されているので、第１のアンテナ４は手で覆われることがなく、性能が劣化することがない。また、第１の筐体１Ａと第２の筐体１Ｂが縦開き状態でインターネット接続機能使用時においても、使用者は第１の筐体１Ａの下端部を持つことになるので、第１のアンテナ４は第１の筐体１Ａの上端部の短辺方向に配置されているので、第１のアンテナ４は手で覆われることがなく、性能が劣化することがない。この時、第２のアンテナ５も手で覆われることがないため、性能が劣化することがない。つまり、第１のアンテナ４も第２のアンテナ５も手で覆われることによる劣化がない。したがって、第１の筐体１Ａと第２の筐体１Ｂが縦開き状態でインターネット接続機能使用時はどちらのアンテナも良好な性能となる。そこで、事前にどちらのアンテナの方が性能が高いかを確認しておき、第１のアンテナ４を選択した方が良好な性能であれば、縦開き状態でインターネット接続機能使用時も第１のアンテナ４を選択するようにスイッチ８を制御することができる。インターネット接続機能使用時では主に第１の筐体１Ａと第２の筐体１Ｂが横開き状態であるので、使用者は第１の筐体１Ａの上端部と下端部（すなわち、横に向けたときの両端部）を持つことになるが、第２のアンテナ５が第２の筐体１Ｂの長辺部に配置されているので、第２のアンテナ５は手で覆われることがなく、性能が劣化することがない。このように音声通話機能使用時でもインターネット接続機能使用時でも常に安定したアンテナ性能が得られる。なお、本構成であれば、第１の筐体１Ａと第２の筐体１Ｂが横開き状態で音声通話機能使用時に必ずしも第２のアンテナ５を選択せずに、第１のアンテナ４を選択することもできる。
【００３８】
このように、本実施の形態の携帯無線機４０によれば、キー入力部１５のキー信号から音声通話機能使用時であるかインターネット接続機能使用時であるかを検知する検知部６の検知出力と第１の筐体１Ａと第２の筐体１Ｂの開閉状態を検知するＭＲセンサ２１、２２の検知出力に基づいて第１のアンテナ４と第２のアンテナ５の切替えを行うので、音声通話機能使用時でもインターネット接続機能使用時でも常に安定したアンテナ性能が得られる。
【００３９】
（実施の形態３）
図６は、本発明の実施の形態３に係る携帯無線機の概略構成を示すブロック図である。なお、図６において前述した図１と共通する部分には同一の符号を付けてその説明を省略する。
【００４０】
本実施の形態の携帯無線機５０は、前述した実施の形態１の携帯無線機１と同様に、音声通話機能及びインターネット接続機能を有し、またダブルオープン構造と呼ばれる縦方向でも横方向でも開けることができる構造を有する。音声通話機能使用時には主に縦方向に開き、インターネット接続機能使用時には主に横方向に開く。
【００４１】
前述した実施の形態１の携帯無線機１は、キー入力部１５のキー信号から音声通話機能使用時であるかインターネット接続機能使用時であるかを検知するものであったが、本実施の形態の携帯無線機５０は、さらに、第１の筐体１Ａと第２の筐体１Ｂの角度を検知できるようにして、第１の筐体１Ａと第２の筐体１Ｂの開閉状態（すなわち、縦開きと横開き）に応じて、キー入力部１５のキー信号から音声通話機能使用時とインターネット接続機能使用時で使用するアンテナを切替えることができるようにしたものである。図６に示すように、本実施の形態の携帯無線機５０は、第１の筐体１Ａと第２の筐体１Ｂの角度を検知する加速度センサ（第３の検知手段）６０を備え、この加速度センサ６０の検知出力に基づいて第１のアンテナ４と第２のアンテナ５を切替える。
【００４２】
加速度センサ６０を用いることで第１の筐体１Ａと第２の筐体１Ｂの向きを検知することができる。本実施の形態の携帯無線機５０の制御部７Ｂは、加速度センサ６０から出力される検知信号に基づいて第１の筐体１Ａと第２の筐体１Ｂの向きが縦方向か横方向かを判別し、縦方向であれば縦開き状態と認識し、横方向であれば、横開き状態と認識する。
【００４３】
本実施の形態の携帯無線機５０の制御部７Ｂは、加速度センサ６０が縦開き状態と認識して、この状態で音声通話機能使用を指定するキー操作が行われた場合はキー操作を検知する検知部６と加速度センサ６０からの検知信号からスイッチ８を制御して第１のアンテナ４に切替える。また、縦開き状態にあるときに、インターネット接続機能使用を指定するキー操作を行った場合もキー操作を検知する検知部６と加速度センサ６０からの検知信号からスイッチ８を制御して第２のアンテナ５に切替えず、第１のアンテナ４に切替えることが可能となる。また、制御部７Ｂは、加速度センサ６０が横開きの状態と認識して、この状態でインターネット接続機能使用を指定するキー操作が行われた場合はキー操作を検知する検知部６と加速度センサ６０からの検知信号からスイッチ８を制御して第２のアンテナ５に切替える。また、横開き状態にあるときに、音声通話機能使用を指定するキー操作を行った場合もキー操作を検知する検知部６と加速度センサ６０からの検知信号からスイッチ８を制御して第１のアンテナ４に切替えず、第２のアンテナ５に切替えることが可能となる。すなわち、音声通話機能使用時とインターネット接続機能使用時で単純にアンテナを切替えるのではなく、第１の筐体１Ａと第２の筐体１Ｂの開閉状態も考慮したアンテナ切替えを実現することができる。
【００４４】
音声通話機能使用時では主に第１の筐体１Ａと第２の筐体１Ｂが縦開き状態であるので、使用者は第１の筐体１Ａの下端部を持つことになるが、第１のアンテナ４は第１の筐体１Ａの上端部の短辺方向に配置されているので、第１のアンテナ４は手で覆われることがなく、性能が劣化することがない。また、第１の筐体１Ａと第２の筐体１Ｂが縦開き状態でインターネット接続機能使用時においても、使用者は第１の筐体１Ａの下端部を持つことになるので、第１のアンテナ４は第１の筐体１Ａの上端部の短辺方向に配置されているので、第１のアンテナ４は手で覆われることがなく、性能が劣化することがない。この時、第２のアンテナ５も手で覆われることがないため、性能が劣化することがない。つまり、第１のアンテナ４も第２のアンテナ５も手で覆われることによる劣化がない。したがって、第１の筐体１Ａと第２の筐体１Ｂが縦開き状態でインターネット接続機能使用時はどちらのアンテナも良好な性能となる。そこで、事前にどちらのアンテナの方が性能が高いかを確認しておき、第１のアンテナ４を選択した方が良好な性能であれば、縦開き状態でインターネット接続機能使用時も第１のアンテナ４を選択するようにスイッチ８を制御することができる。インターネット接続機能使用時では主に第１の筐体１Ａと第２の筐体１Ｂが横開き状態であるので、使用者は第１の筐体１Ａの上端部と下端部（すなわち、横に向けたときの両端部）を持つことになるが、第２のアンテナ５が第２の筐体１Ｂの長辺部に配置されているので、第２のアンテナ５は手で覆われることがなく、性能が劣化することがない。このように音声通話機能使用時でもインターネット接続機能使用時でも常に安定したアンテナ性能が得られる。なお、本構成であれば、第１の筐体１Ａと第２の筐体１Ｂが横開き状態で音声通話機能使用時に必ずしも第２のアンテナ５を選択せずに、第１のアンテナ４を選択することもできる。
【００４５】
このように、本実施の形態の携帯無線機５０によれば、キー入力部１５のキー信号から音声通話機能使用時であるかインターネット接続機能使用時であるかを検知する検知部６の検知出力と第１の筐体１Ａと第２の筐体１Ｂの角度を検知する加速度センサ６０の検知出力に基づいて第１のアンテナ４と第２のアンテナ５の切替えを行うので、音声通話機能使用時でもインターネット接続機能使用時でも常に安定したアンテナ性能が得られる。
【産業上の利用可能性】
【００４６】
本発明は、音声通話機能使用時でもインターネット接続機能使用時でも常に安定したアンテナ性能が得られるといった効果を有し、音声通話機能とインターネット接続機能を有する携帯電話等の携帯無線機への適用が可能である。
【符号の説明】
【００４７】
１、２０、４０、５０  携帯無線機
１Ａ、２０Ａ  第１の筐体
１Ｂ、２０Ｂ  第２の筐体
２  表示部
３  ヒンジ部
４  第１のアンテナ
５  第２のアンテナ
６  検知部
７、７Ａ、７Ｂ  制御部
８  スイッチ
９  無線回路
１５  キー入力部
１５ａ  通話キー
１５ｂ  モードキー
２１、２２  ＭＲセンサ
２３、２４  磁石
６０  加速度センサ
【図１】
2011160201.tif 000003
【図２】
2011160201.tif 000004
【図３】
2011160201.tif 000005
【図４】
2011160201.tif 000006
【図５】
2011160201.tif 000007
【図６】
2011160201.tif 000008